(57)【要約】【課題】厚さがカード等と比較して厚い物品であっても、また、接着に適さない物品であっても、簡単に郵送することができる郵送セットを提供する。【解決手段】板状に形成されるとともに、厚さ方向に貫通された物品収納部Ｓを有するホルダ１０と、ホルダ１０の表面側を覆う第１面３１と、ホルダ１０の裏面側を覆う第２面３２と、第１面３１と第２面３２とを連結する第３面３３とを有し、展開状態においてシート状となるカバー３０と、カバー３０をホルダ１０に留める留め手段４０と、を備える。【選択図】図１
2013071299.tif 000002
【特許請求の範囲】
【請求項１】
物品を郵送するための郵送セットにおいて、板状に形成されるとともに、厚さ方向に貫通された又は凹んだ物品収納部を有するホルダと、前記ホルダの表面側を覆う第１面と、前記ホルダの裏面側を覆う第２面と、前記第１面と前記第２面とを連結する第３面とを有し、展開状態においてシート状となるカバーと、前記カバーを前記ホルダに留める留め手段とを備えることを特徴とする郵送セット。
【請求項２】
前記ホルダ、前記カバーの前記第１面、前記カバーの前記第２面が同じ大きさの長方形状に形成されていることを特徴とする請求項１に記載の郵便セット。
【請求項３】
前記カバーの前記第１面における外面側に、定形郵便物の記載事項が記載されている、ことを特徴とする請求項１又は２に記載の郵送セット。
【請求項４】
前記ホルダは、前記物品収納部の裏面側を閉鎖する裏シールと、前記物品収納部の表面側を閉鎖する表シールを有することを特徴とする請求項１ないし３のいずれか１項に記載の郵送セット。
【請求項５】
前記表シールが光透過性の部材で形成されていることを特徴とする請求項４に記載の郵送セット。
【請求項６】
前記カバーの第１面は、前記物品収納部に対応する位置に、前記物品収納部に収納される物品の外部からの視認を可能とする窓部が形成されていることを特徴とする請求項１ないし５のいずれか１項に記載の郵送セット。
【請求項７】
前記物品収納部に収納される物品が干支に因んだ物品であることを特徴とする請求項１ないし６のいずれか１項に記載の郵送セット。
【請求項８】
前記物品収納部に収納される物品として、組み立てて完成品を作製する複数のピースが収納されていることを特徴とする請求項１ないし７のいずれか１項に記載の郵送セット。
【請求項９】
前記裏シールの外面に、前記物品の組み立て図が記載されていることを特徴とする請求項８に記載の郵送セット。
【発明の詳細な説明】
【技術分野】
【０００１】
本発明は、厚さのある物品を簡単に郵送することができる郵送セットに関する。
【背景技術】
【０００２】
従来、例えば、テレホンカード等のカードを私製はがきの一部として郵送するものが知られている（例えば、特許文献１参照）。
【０００３】
このものは、接着剤がコーティングされている１枚目の用紙の接着剤側に２枚目の用紙を張り合わせ、この２枚目の用紙の一部を、カードの大きさに型抜きし、これにより露出した接着剤に、カードを貼りつけるものである。このものは、カードの台紙としてだけではなく、私製はがきとしても利用することができる。
【先行技術文献】
【特許文献】
【０００４】
【特許文献１】特開平６−２４７０７９号公報
【発明の概要】
【発明が解決しようとする課題】
【０００５】
しかしながら、上述の特許文献１のものを私製はがきとして使用する場合、カード等の厚さが薄いものに対しては有効であるものの、厚さが厚いものは、台紙から出っ張るため、郵送の途中で引っかかって脱落したりするという問題がある。また、カード等の保持方法が接着であるため、接着に適さない物品の郵送は困難であるという問題もある。
【０００６】
本発明は、上述した事情に鑑みてなされたものであり、厚さがカード等と比較して厚い物品であっても、また、接着に適さない物品であっても、簡単に郵送することができる郵送セットを提供することを目的とするものである。
【課題を解決するための手段】
【０００７】
請求項１に係る発明は、物品を郵送するための郵送セットにおいて、板状に形成されるとともに、厚さ方向に貫通された又は凹んだ物品収納部を有するホルダと、前記ホルダの表面側を覆う第１面と、前記ホルダの裏面側を覆う第２面と、前記第１面と前記第２面とを連結する第３面とを有し、展開状態においてシート状となるカバーと、前記カバーを前記ホルダに留める留め手段と、を備える、ことを特徴とする。
【０００８】
請求項２に係る発明は、請求項１に係る郵便セットにおいて、前記ホルダ、前記カバーの前記第１面、前記カバーの前記第２面が同じ大きさの長方形状に形成されている、ことを特徴とする。
【０００９】
請求項３に係る発明は、請求項１又は２に係る郵送セットにおいて、前記カバーの前記第１面における外面側に、定形郵便物の記載事項が記載されている、ことを特徴とする。
【００１０】
請求項４に係る発明は、請求項１ないし３のいずれか１項に係る郵送セットにおいて、前記ホルダは、前記物品収納部の裏面側を閉鎖する裏シールと、前記物品収納部の表面側を閉鎖する表シールを有する、ことを特徴とする。
【００１１】
請求項５に係る発明は、請求項４に係る郵送セットにおいて、前記表シールが光透過性の部材で形成されている、ことを特徴とする。
【００１２】
請求項６に係る発明は、請求項１ないし５のいずれか１項に係る郵送セットにおいて、前記カバーの第１面は、前記物品収納部に対応する位置に、前記物品収納部に収納される物品の外部からの視認を可能とする窓部が形成されている、ことを特徴とする。
【００１３】
請求項７に係る発明は、請求項１ないし６のいずれか１項に係る郵送セットにおいて、前記物品収納部に収納される物品が干支に因んだ物品である、ことを特徴とする。
【００１４】
請求項８に係る発明は、請求項１ないし７のいずれか１項に係る郵送セットにおいて、前記物品収納部に収納される物品として、組み立てて完成品を作製する複数のピースが収納されている、ことを特徴とする。
【００１５】
請求項９に係る発明は、請求項８に係る郵送セットにおいて、前記裏シールの外面に、前記物品の組み立て図が記載されている、ことを特徴とする。
【発明の効果】
【００１６】
請求項１の発明によれば、ホルダの物品収納部に物品を収納し、カバーの第１面によりホルダの表面側を、また、第２面によりホルダの裏面側を覆うことにより、接着剤を使用することなく物品収納部から物品が脱落することを防止することができるので、カード等と比較して厚さが厚く、また、任意の形状の物品を保持することができる。また、カバーは、展開状態において、シート状となるので、カバーに対して印刷等が容易である。
【００１７】
請求項２の発明によれば、ホルダ、カバーの第１面、カバーの第２面が同じ大きさの長方形状に形成されているので、ホルダー、カバーの取り扱いが容易で、また、材料の無駄も発生しにくい。
【００１８】
請求項３の発明によれば、郵送セット全体を定形郵便物として容易に使用することができる。
【００１９】
請求項４の発明によれば、ホルダは、物品収納部の表面側及び裏面側を閉鎖する表シール、裏シールを有しているので、これらシールによって、物品収納部に収納された物品の脱落を防止することができるので、カバーがなくとも、物品が収納されたホルダ単体として、容易に取り扱い、また流通させることができる。
【００２０】
請求項５の発明によれば、表シールが光透過性の部材で形成されているので、この表シールを通して、物品収納部に収納された物品を視認することができる。
【００２１】
請求項６の発明によれば、カバーの第１面の窓部を通して、カバーの外側から、ホルダの収納部に収納された物品の少なくとも一部を視認することができる。
【００２２】
請求項７の発明によれば、物品が干支に因んだものであるので、郵送セットを、年賀状の郵送セットとして有効に使用することができる。
【００２３】
請求項８の発明によれば、組み立てて完成品を作製する複数のピースが物品収納部に収納されているので、物品として、完成品の例えば高さや面積が、郵送セットの厚さや面積を超えるようなものを採用することができる。
【００２４】
請求項９の発明によれば、裏シールの外面に、物品の組み立て図が記載されているので、物品を収納したホルダ単体で、流通させることができる。
【図面の簡単な説明】
【００２５】
【図１】郵便セットを正面側右斜め上方から見た斜視図である。
【図２】ホルダを正面側右斜め上方から見た斜視図である。
【図３】カバーの展開状態を示す図である。
【発明を実施するための形態】
【００２６】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００２７】
図１〜図３を参照して本発明を適用した実施形態１に係る郵便セット１について説明する。なお、以下の説明では、図１中の矢印の前後左右上下が、それぞれ郵便セット１の前後左右上下であるものとして説明する。
【００２８】
郵便セット１は、ホルダ１０と、カバー３０と、留め手段４０とを備えて構成されている。郵便セット１全体は、縦長の長方形の板状に形成されている。ここで、郵便セット１の左右寸法（短辺）は長さａ、高さ寸法（長辺）は長さｂ、前後寸法（厚さ）は長さｔに設定されている。これら長さａ，ｂ，ｔは、例えば私製はがきの規格に基づいて設定されている。すなわち、９ｃｍ≦ａ≦１０．７ｃｍ、１４ｃｍ≦ｂ≦１５．４ｃｍ、ｔは官製はがきと同等以上に設定されている。
【００２９】
ホルダ１０全体は、図１，図２に示すように、郵便セット１と同様、縦長の長方形の板状に形成されている。ホルダ１０の短辺、長辺、厚さは、後述するカバー３０の厚さを考慮しない場合には、郵便セット１と同様の長さａ，ｂ，ｔとなる。
【００３０】
ホルダ１０は、外形が縦長の長方形のホルダ本体１１と、その前面（正面）１１Ａ側に貼着された表シール１２と、後面（背面）１１Ｂ側に貼着された裏シール１３とを有している。
【００３１】
ホルダ本体１１には、長方形状（又は正方形状）の物品収納部Ｓが形成されている。この物品収納部Ｓは、ホルダ本体１１の前面１１Ａと後面１１Ｂとを貫通するように構成されている。つまり、物品収納部Ｓは、ホルダ本体１１のうちの、上側の左右に長い部分１１ａ、左側の縦に長い部分１１ｂ、右側の縦に長い部分１１ｃ、下側の左右に長い部分１１ｄに囲繞されるように形成されている。なお、図示例では、物品収納部Ｓの形状は、長方形状であるが、この形状については、例えば、物品２０に対応して、他の任意の形状、例えば、菱形、平行四辺形、円形、楕円形としてもよい。
【００３２】
なお、物品収納部としては、上述のように、ホルダ本体１１の前面１１Ａと後面１１Ｂとを貫通するものの他に、貫通しない凹部（不図示）であってもよい。例えば、３枚のボール紙を重ね合わせてホルダ本体１１を構成する場合、前面１１Ａ側の２枚のボール紙については表裏方向に貫通する透孔を設け、残りの後面１１Ｂ側の１枚のボール紙については、何も設けず、３枚を貼り合わせる。これにより、前面１１Ａ側から凹んだ凹部を構成することができる。この場合、３枚目のボール紙は、凹部の底部を構成することになる。なお、このように表裏方向に貫通しない凹部を設ける場合には、後述する裏シール１３を省略することが可能である。
【００３３】
ホルダ本体１１は、例えば、ボール紙や合成樹脂（発泡スチロール）によって作製することができる。物品収納部Ｓを形成する方法としては、例えば、ホルダ本体１１が複数のボール紙を張り合わせて形成されている場合には、各ボール紙に物品収納部Ｓと同形の孔を開けておき、これらボール紙を重ね合わせることで、物品収納部Ｓを形成することができる。また、ホルダ本体１１から、プレス等で物品収納部Ｓを打ち抜いて形成することもできる。
【００３４】
なお、物品収納部Ｓは、上述の部分１１ａ，１１ｂ，１１ｃ，１１ｄの少なくともいずれかがない、例えば、部分１１ｃを設けないで構成することも可能ではあるが、図示例のように、周囲全体が部分１１ａ，１１ｂ，１１ｃ，１１ｄで囲繞されるように構成することにより、ホルダ本体１１の強度を確保することができる。
【００３５】
表シール１２は、物品収納部Ｓの表面側を覆うものであり、例えば、光透過性（透明又は半透明）のシールによって構成することができる。表シール１２は、その上側、左側、右側、下側を、それぞれこの順に、ホルダ本体１１の部分１１ａ，１１ｂ，１１ｃ，１１ｄに接着剤等によって貼着することにより、物品収納部Ｓの表面側（正面側）を閉鎖する。表シール１２を剥離することにより、物品収納部Ｓに収納されていた物品２０を取り出すことができる。表シール１２を光透過性のもので構成することにより、表シール１２を剥がすことなく、ホルダ１０の外部から、物品２０を視認することができる。
【００３６】
表シール１２は、特に物品収納部Ｓに収納された物品２０が外部から見えるようにする必要がない場合には、光透過性の部材以外の部材で形成するようにしてもよい。
【００３７】
裏シール１３は、長方形に形成されていて、短辺及び長辺の長さａ，ｂが、ホルダ本体１１と同じに設定されている。裏シール１３は、ホルダ本体１１の後面１１Ｂの全体に貼着されることにより、物品収納部Ｓの裏面側（背面側）を閉鎖している。裏シール１３の後面１３Ａには、例えば、物品２０の効能の説明、取り扱い説明、組立説明等を記載しておくとよい。これにより、ホルダ１０単独で、商品として販売したり、流通させたりすることが容易となる。なお、これらの記載に代えて、これらを記載した紙片等を、物品収納部Ｓに物品２０と一緒に入れるようにしてもよい。
【００３８】
ホルダ１０は、長さｔを変えることで、物品収納部Ｓに種々の物品２０を収納することが可能となる。
【００３９】
なお、物品収納部Ｓに収納する物品２０によっては、必ずしも表シール１２及び裏シール１３を設ける必要はない。例えば、物品２０として、ハンカチやストラップを物品収納部Ｓに収納する場合には、特に、表シール１２や裏シール１３を設けないでも、カバー３０の第１面３１によって物品収納部Ｓの表面側を表シール１２で閉鎖し、また、第２面３２によって物品収納部Ｓの裏面側を閉鎖することができる。つまり、物品２０によっては、表シール１２及び裏シール１３を省略することが可能である。なお、表シール１２と裏シール１３とのうちの一方を省略するようにしてもよい。
【００４０】
図３に、カバー３０の展開図を示す。カバー３０全体は、展開状態において、ホルダ１０に対して、左右方向の長さが略２倍の長方形状に形成されている。カバー３０は、ホルダ１０の表面側（正面側）を覆う第１面３１と、裏面側（背面側）を覆う第２面３２と、これら第１面３１と第２面３２とを連結するとともに、ホルダ１０の右側面１１ｅを覆う第３面３３とを有している。カバー３０は、例えば、ボール紙を折曲することによって構成される。
【００４１】
第１面３１は、ホルダ１０と同形、同寸法の長方形に形成されており、短辺は長さａ、長辺は長さｂに設定されている。第１面３１は、外面３１Ａと内面３１Ｂとを有していて、外面３１Ａには、例えば、郵送セット１を年賀状として使用する場合には、年賀状の記載事項（様式）、例えば、「切手を張る部分」３１ｂ、「ｎａｎｏｂｌｏｃｋ  ｎｅｎｇａ」３１ｃ、「郵便番号の枠」３１ｄ、「年賀」３１ｅ等が記載されている。また、第１面３１には、下側の左側に、円形の窓部３１ａが外面３１Ａと内面３１Ｂとを貫通するように形成されている。この窓部３１ａは、上述のホルダ１０の物品収納部Ｓに対応する位置に形成されている。このため、郵送セット１の外側から、窓部３１ａ、光透過性の表シール１２を介して、物品収納部Ｓに収納されている物品２０を視認することが可能となる。この窓部３１ａからは、物品２０の一部が見えるので、郵送セット１を受け取ったものは、物品２０を取り出す楽しみが倍増される。なお、特に、外部から物品２０を見せる必要がない場合等には、窓部３１ａを省略してもよい。
【００４２】
第２面３２は、ホルダ１０と同形、同寸法の長方形に形成されており、短辺は長さａ、長辺は長さｂに設定されている。第２面３２は、外面３２Ａと内面３２Ｂとを有していて、外面３２Ａは、年賀状の裏面として使用されていて、例えば、「賀正」３２ａ、その年の干支の「龍」３２ｂ等が印刷されている。特に、図示例では、ナノブロックを組み立てて完成した状態の「龍」３２ｂが印刷されている。
【００４３】
第３面３３は、ホルダ本体１１の右側面１１ｅを覆うものであり、カバー３０の厚さを考慮に入れない場合には、右側面１１ｅと同様、長さ（幅）ｔ、長さｂの短冊状に形成されている。第３面３３は、外面３３Ａと内面３３Ｂとを有していて、第１面３１と第２面３２とを連結している。
【００４４】
カバー３０全体は、第１面３１と第３面３３との間（境界）、及び第２面３２と第３面３３との間（境界）で、図１に示すように折曲することで、第１面３１と第２面３２との間にホルダ１０を挟み込むことができるブックカバー状に構成される。
【００４５】
カバー３０は、展開状態において、第１面３１、第２面３２、第３面３３のそれぞれの外面３１Ａ，３２Ａ，３３Ａが同一平面を形成し、また、それぞれの内面３１Ｂ，３２Ｂ，３３Ｂが同一平面を形成する。本実施形態では、必要な記載事項（印刷事項）は、すべて外面３１Ａ，３２Ａ，３３Ａ側に設け、内面３１Ｂ，３２Ｂ，３３Ｂ側を白紙とすることにより、印刷コストの低減を図っている。
【００４６】
図１に示すように、留め手段４０は、ホルダ１０にカバー３０を固定するためのものであり、例えば、接着剤が塗布されたテープやシールを使用することができる。なお、図示例では、留め手段４０は、郵送セット１の上側と下側とに設けているが、さらに、例えば、左側にも追加して設けるようにしてもよい。留め手段４０としては、テープやシールの外に、例えば、ホルダ１０とカバー３０の相互に接触する面の一方に、帯状に接着剤を塗布し、この接着剤に剥離紙を貼り、使用時には、この剥離紙を剥がして接着剤により、ホルダ１０とカバー３０とを接着するようにしてもよい。
【００４７】
なお、留め手段４０としては、繰り返し、接着剥離可能なものを使用してもよい。この場合には、例えば、ホルダ１０とカバー３０とを留め手段４０によって接着した後に、カバー３０に必要事項を記載する場合、この記載事項を誤記した場合等に、留め手段４０を剥がして、カバー３０のみを容易に交換することができる。また、ホルダ１０に一旦、カバー３０を接着した後に、留め手段４０を剥がし、カバー３０を取り外して、物品収納部Ｓ内の物品２０を交換することも可能である。
【００４８】
物品２０としては、物品収納部Ｓに収納できるものであれば任意のものを選択することができる。例えば、アクセサリー、写真、ハンカチ、ストラップ等が例示できる。図示例では、物品２０として、ナノブロックの各ピース２１を並べて収納している。このナノブロックは、玩具として周知のダイヤブロックを小型にしたものであり、取り扱い方法、使用方向については、ダイヤブロックと同様である。ナノブロックとしては、例えば、組立後の完成品が、その年の干支に因んだものを選択することができる。具体的には、郵便セット１を、来年（２０１２年）の年賀状として使用する場合には、ナノブロックの組立後の完成品が龍となるようにしている。なお、この場合には、上述のホルダ１０の裏シール１３の後面１３Ａには、ナノブロックの組立説明図を記載するようにするとよい。
【００４９】
上述した郵送セット１は、以下のような効果を奏する。
【００５０】
（１）ホルダ１０の物品収納部Ｓに物品２０を収納し、カバー３０の第１面３１によりホルダ１０の表面側を、また、第２面３２によりホルダ１０の裏面側を覆うことにより、接着剤を使用することなく物品収納部Ｓから物品２０が脱落することを防止することができるので、カード等と比較して厚さが厚く、また、任意の形状の物品２０を保持することができる。また、カバー３０は、展開状態において、シート状となるので、カバーに対して印刷等が容易である。
【００５１】
（２）ホルダ、カバーの第１面、カバーの第２面が同じ大きさの長方形状に形成されているので、ホルダー、カバーの取り扱いが容易で、また、材料の無駄も発生しにくい。
【００５２】
（３）郵送セット１全体を定形郵便物として容易に使用することができる。
【００５３】
（４）ホルダ１０は、物品収納部Ｓの表面側及び裏面側を閉鎖する表シール１２、裏シール１３を有しているので、これら表シール１２、裏シール１３によって、物品収納部Ｓに収納された物品２０の脱落を防止することができるので、カバー３０がなくとも、物品が収納されたホルダ１０単体として、容易に取り扱い、また流通させることができる。
【００５４】
なお、ホルダ１０単体として取り扱わない場合、ホルダ１０の物品収納部Ｓの表面側及び裏面側を、カバー３０の第１面３１及び第２面３２によって有効に閉鎖できる場合には、表シール１２や裏シール１３を省略することも可能である。
【００５５】
（５）表シール１２が光透過性の部材で形成されているので、この表シール１２を通して、物品収納部Ｓに収納された物品２０をホルダ１０の外部から視認することができる。
【００５６】
（６）カバー３０の第１面３１の窓部３１ａを通して、カバー３０の外側から、ホルダ１０の物品収納部Ｓに収納された物品２０の少なくとも一部を視認することができる。このため、郵送セット１を受け取った者は、一部から全体を想像しながら物品２０を取り出す等、楽しみが増える。
【００５７】
（７）物品２０が干支に因んだものであるので、郵送セット１を、年賀状の郵送セットとして有効に使用することができる。なお、物品２０が干支に因んだものでなくてもよいのはもちろんである。
【００５８】
（８）組み立てて完成品を作製する複数のピース２１が物品収納部Ｓに収納されているので、物品２０として、完成品の例えば高さや面積が、郵送セット１の厚さや面積を超えるようなものを採用することができる。なお、物品としては、ハンカチやストラップ等、組み立てる必要がないものであってもよいのはもちろんである。
【００５９】
（９）裏シール１３の外面１３Ａに、物品２０の組み立て図が記載されているので、物品を収納したホルダ１０単体で、流通させることができる。
【００６０】
以上の実施形態では、郵送セット１の形状が、長方形の板状である場合を説明したが、これに代えて、正方形、菱形、平行四辺形、台形、円形、楕円形等の形状とすることも可能である。ただし、この場合には、ホルダ１０、カバー３０等もこれに対応した形状とする。
【００６１】
また、以上の実施形態では、郵送セット１を年賀状として使用する場合を例に説明したが、これに限定されるものではない。例えば、クリスマスカード、バースデーカード、土産物のポストカード、バレンタインカード、暑中見舞い、転居の挨拶、母の日・父の日のカード、ハロウィンカード、結婚報告カード、出産報告（祝い）カード、お中元・お歳暮、イベントのＤＭ（ダイレクトメール）、販売促進のＤＭ、敬老の日のカード、子供の日のカード、雛祭りのカード、入学祝いカード、就職祝いカード、お礼状等に使用することが可能である。ただし、これらに合わせて、物品２０を変更したり、記載事項の印刷を変えたりするものとする。
【００６２】
以上説明した郵送セット１は、完成品であっても、キットであってもよい。
ここで、完成品とは、ホルダ１０の表面側を、カバー３０の第１面３１で実際に覆い、また、ホルダ１０の裏面側を、カバー３０の第２面３２で実際に覆い、これら第１面３１及び第２面３２を留め手段４０によってホルダ１０に取り付けた状態のものをいう。この完成品は、請求項１の「前記ホルダの表面側を覆う第１面」、「前記ホルダの裏面側を覆う第１面」中の「覆う」が「（実際に）覆っている」と解釈するものである。なお、完成品の場合には、上述のナノブロックのように、ホルダ１０の物品収納部Ｓに、あらかじめ収納しておくようにしてもよい。完成品の場合、物品２０が何であるかが優先されて、その物品２０を簡単に郵送することができるというメリットがある。
【００６３】
これに対し、キットとは、ホルダ１０と、カバー３０と、留め手段４０とが個別に設けられたものである。なお、留め手段４０については、上述のように、ホルダ１０又はカバー３０に設けられている場合もある。このキットは、請求項１の「前記ホルダの表面側を覆う第１面」、「前記ホルダの裏面側を覆う第１面」中の「覆う」を「覆うための」と解釈するものである。キットの場合、カバー３０については、第１面３１と第３面３３の間、及び第２面３２と第３面３３との間は、折曲されていても、されていなくてもいずれの状態であってもよい。このキットの場合、ホルダ１０の物品収納部Ｓに収納する物品２０の選択を比較的自由の行うことができる。キットは、物品２０を郵送するためのキットが優先され、郵送する物品２０は、郵送する本人が選択するようになる。
【符号の説明】
【００６４】
１  郵送セット
１０  ホルダ
１１  ホルダ本体
１２  表シール
１３  裏シール
２０  物品
２１  ピース
３０  カバー
３１  第１面
３１Ａ  外面
３１ａ  窓部
３２  第２面
３３  第３面
４０  留め手段
Ｓ  物品収納部
【図１】
2013071299.tif 000003
【図２】
2013071299.tif 000004
【図３】
2013071299.tif 000005